(57)【要約】【課題】従来技術の欠点を持たず、使い易く、塗布具の塗布面を損傷したり、指を汚したりすることなく簡単に把持できる粘着性の塗布具を提供すること。【解決手段】本発明により、化粧製品のための塗布装置であって、−裏シート（２０）でああって、該裏シートで少なくとも１つの塗布具（１０）が切り出されているか又は予め切られている裏シートであって、    ａ）少なくとも前記塗布具の全体又は一部に対応して前記化粧製品を保持している第１の面（２１）、及び    ｂ）前記塗布具の全体又は一部に粘着している第２の面（２２）を備えている裏シートと、−前記第２の面（２２）の少なくとも粘着剤で被覆された部分にわたり延びているフィルム（３０）であって、少なくとも部分的に前記裏シートから取り外すことができ、これにより、前記塗布具への到達が可能となり、粘着面を利用して塗布具を取り上げることが可能になるフィルムとを含む塗布装置を提供する。【選択図】図１
2006102485.tif 000002
【特許請求の範囲】
【請求項１】
化粧製品の塗布装置であって、
−  少なくとも１つの塗布具（１０）が切り出されるか又は予め切られている裏シート（２０）であって、
ａ）少なくとも塗布具の全体又は一部に化粧製品を保持する第１の面（２１）、及び
ｂ）塗布具の全体又は一部に粘着する第２の面（２２）
を備える裏シートと、
−  第２の面（２２）の少なくとも粘着剤で被覆された部分に亘って延びているフィルム（３０）であって、少なくとも部分的に裏シートから取り外すことができ、これによって塗布具への到達が可能となり、粘着面を利用して塗布具を取り上げることが可能となるフィルム
とを含む塗布装置。
【請求項２】
フィルム（３０）が、塗布具（１０）の周囲の少なくとも一部に延びる切断線又は脆弱線（４０）を含み、この線により、少なくとも部分的に取り外し可能であって且つ少なくとも部分的に塗布具（１０）を覆う部分（３１）が画定されており、取り外し可能な部分をフィルム（３０）の残部分から分離すると、塗布具への到達が可能となり、粘着面を利用して塗布具を取り上げることが可能となることを特徴とする、請求項１に記載の装置。
【請求項３】
裏シートの第２の面（２２）が、少なくとも塗布具の外部の一部分（２３）にさらに付着していることを特徴とする、請求項２に記載の装置。
【請求項４】
塗布具（１０）が、裏シート（２０）に付着していることを特徴とする、請求項１ないし３のいずれか１項に記載の装置。
【請求項５】
塗布具（１０）が、裏シート（２０）に、ブリッジ部（１３）によって結合していることを特徴とする、請求項４に記載の装置。
【請求項６】
裏シート（２０）が、塗布具の（１０）周囲全体を取り囲んでいることを特徴とする、請求項１ないし５のいずれか１項に記載の装置。
【請求項７】
線（４０）が不連続的に切られていることを特徴とする、請求項２ないし６のいずれか１項に記載の装置。
【請求項８】
線（４０）が連続的に切られていることを特徴とする、請求項２ないし６のいずれか１項に記載の装置。
【請求項９】
脆弱線（４０）が、フィルム（３０）の厚みが比較的小さい領域であることを特徴とする、請求項２ないし６のいずれか１項に記載の装置。
【請求項１０】
フィルム（３０）の取り外し可能な部分（３１）が、フィルムの周縁部（３２）によって少なくとも部分的に画定されていることを特徴とする、請求項２ないし９のいずれか１項に記載の装置。
【請求項１１】
裏シート（２０）に、塗布すべき製品を含浸させたことを特徴とする、請求項１ないし１０のいずれか１項に記載の装置。
【請求項１２】
裏シートの第１の面（２１）が、塗布すべき製品の層（１１）で覆われていることを特徴とする、請求項１ないし１０のいずれか１項に記載の装置。
【請求項１３】
裏シート（２０）の第１の面（２１）が、塗布具（１０）に対応する部分にのみ製品を備えていることを特徴とする、請求項１ないし１２のいずれか１項に記載の装置。
【請求項１４】
製品が化粧製品であることを特徴とする、請求項１ないし１３のいずれか１項に記載の装置。
【請求項１５】
裏シート（２０）が、多孔性又は繊維性の材料、特に熱可塑性発泡材料、スポンジ、フェルト、不織材料又は織材料、特に、綿等の天然繊維からなっていることを特徴とする、請求項１ないし１４のいずれか１項に記載の装置。
【請求項１６】
裏シート（２０）が、弾性変形可能な材料からなっていることを特徴とする、請求項１ないし１５のいずれか１項に記載の装置。
【請求項１７】
裏シート（２０）が多層構造を有していることを特徴とする、請求項１ないし１６のいずれか１項に記載の装置。
【請求項１８】
裏シートの第１の面（２１）が、フロック材料、不織材料又は織材料で覆われていることを特徴とする、請求項１ないし１７のいずれか１項に記載の装置。
【請求項１９】
フィルム（３０）が、シリコーン処理された紙からなっていることを特徴とする、請求項１ないし１８のいずれか１項に記載の装置。
【請求項２０】
裏シートの第２の面（２２）が、低アレルギー性の粘着剤を備えていることを特徴とする、請求項１ないし１９のいずれか１項に記載の装置。
【請求項２１】
裏シートの第２の面（２２）の全体が粘着剤で覆われていていることを特徴とする、請求項１ないし２０のいずれか１項に記載の装置。
【請求項２２】
裏シートの第２の面（２２）が、塗布具と、塗布具の外部の少なくとも一部（２３）とに付着していることを特徴とする、請求項１ないし２０のいずれか１項に記載の装置。
【請求項２３】
塗布具（１０）が、縦断面で見たときに平らな形状を有していることを特徴とする、請求項１ないし２２のいずれか１項に記載の装置。
【請求項２４】
塗布具（１０）が、縦断面で見たときに、少なくとも裏シートの第１の面（２１）の側に凸形状を有していることを特徴とする、請求項１ないし２３のいずれか１項に記載の装置。
【請求項２５】
正面から見たときに塗布具（１０）が円形であることを特徴とする、請求項１ないし２４のいずれか１項に記載の装置。
【請求項２６】
正面から見たときに塗布具（１０）が、非円形、特に略三角形、多角形、長円形、水滴形もしくはアーモンド形状であることを特徴とする、請求項１ないし２４のいずれか１項に記載の装置。
【請求項２７】
保護シート（５０）が、少なくとも塗布具（１０）を覆うように、第１の面（２１）に対応して配置されていることを特徴とする、請求項１ないし２６のいずれか１項に記載の装置。
【請求項２８】
複数の塗布具を備えることを特徴とする、請求項１ないし２７のいずれか１項に記載の装置。
【請求項２９】
請求項１ないし２８のいずれか１項に記載の装置を用いて化粧製品を塗布する方法であって、
−  少なくとも部分的に塗布具（１０）に対応する位置にある裏シートの第２の面（２２）が少なくとも部分的に露出するように、フィルム（３０）を引き剥がすステップ、
−  塗布具に対応する位置にある露出した第２の面（２２）に１本以上の指を置くステップ、
−  塗布具（１０）を取り上げて、裏シート（２０）の残部分から離すステップ、及び
−  処理すべき領域に塗布具（１０）の第１の面（２１）を適用するステップ
を含む方法。
【請求項３０】
請求項２ないし２８のいずれか１項に記載の装置を用いて化粧製品を塗布する方法であって、
−  フィルム（３０）の切断線又は脆弱線（４０）の周りに位置する部分で器具を把持するステップ、
−  フィルム（３０）の取り外し可能な部分（３１）を引き剥がして、少なくとも部分的に塗布具（１０）に対応した位置にある裏シートの第２の面（２２）を少なくとも部分的に露出させるステップ、
−  塗布具に対応する位置にある露出した第２の面（２２）に１本以上の指を置くステップ、
−  塗布具（１０）を取り上げて、裏シート（２０）の残部分から離すステップ、及び
−  処理すべき領域に塗布具（１０）の第１の面（２１）を適用するステップ
を含む方法。
【請求項３１】
請求項１ないし２８のいずれか１項に記載の装置の使用法であって、化粧製品又は皮膚科学的製品、特に殺菌剤、日焼け止め、保湿用製品、皺取り製品、マニキュア液、ファンデーション、ほお紅、アイシャドウ、口紅、メイク落とし、ヘアケア製品、染髪製品、デオドラントもしくは制汗製品、又は香水を塗布するための使用法。
【発明の詳細な説明】
【技術分野】
【０００１】
本発明は、特に化粧製品のための製品塗布具であって、処理すべき表面への製品の塗布を簡単にするために指に粘着するように設計された塗布具に関する。
「化粧製品」という表現は、指令書７６／７６８／ＣＥＥの６度目の変更である、１９９３年６月１４日付けＥＣ理事会指令書９３／３５／ＣＥＥにおいて定義されたような製品を指す。
【背景技術】
【０００２】
実質的に平らな形状であって、製品を塗布する目的で塗布具の指への付着を可能にする粘着剤の層を組み込んだ塗布具が公知である（例えば、特許文献１参照）。
一般に、粘着面は、粘着剤を保護するように設計された裏シートで覆われており、使用前にこの裏シートから塗布具を取り上げる。
このような塗布具の裏シートからの取り上げを簡単にするために、塗布具をディスペンサに配置することが知られている。ディスペンサに巻き付けられたキャリアテープに付着させた複数の塗布具が例えば特許文献１に公知である。このようなディスペンサは、ディスペンサに巻き付けることのできる比較的長い細片に付着させた比較的多数の塗布具を配置するのにより適している。
【０００３】
また、特許文献２には、１つのラベルが次のラベルの上に部分的に重ね合わされている粘着ラベルが開示され、公知である。ラベルは、そのような状態でディスペンサに巻き付けられており、付加的なキャリアテープは備えていないか、又はラベル同士を接続するためにラベルの粘着面に付着させた糸を備えているのみであり、これによりラベルの分離が簡単になっている。このような構成も、ディスペンサに巻き付けることができる比較的多数のラベルの取り出しにより適している。さらに、このようなラベルは、生産ラインにおいて、アームによって自動的に拾い上げられるように設計されている。このアームは、ラベルの粘着面とは反対側の面に押し付けられて、連続するラベルからそのラベルを取り外し、ボトルに付着する。この種の構成は、指先に粘着させるように設計された製品塗布具には適していない。さらに、２つのラベルを分離するためには、粘着面と反対側の面への押し付けが必要であるので、このような構成は、粘着面と反対側の面を肌に適用させるように設計されている塗布具には適していない。実際、この面が、汚れてしまったり、塗布すべき製品を塗布具が保持している場合に製品が除去されてしまったりする危険がある。
【０００４】
また、ある粘着性の物品は、粘着面を保護するために取り外し可能な裏当てを個々に備えて包装されるように設計されている。この構成は、重なって把持領域を形成する２つの部分に分割される裏当てを組み込んだ包帯剤の場合に特に当てはまる。包帯剤をその裏当てから取り外すためには、装置の両面に指をそれぞれ１本ずつ置いて一方の手で装置を把持し、次いで裏当てを取り外すために裏当ての把持領域を保持できるように装置を折り曲げることが必要である。この種の物品においては、包帯剤が製品を保持しない限り問題は生じない。しかし、製品塗布具の場合には、表面及び指が汚れることを回避するために塗布面に触れないことが好ましい。さらに、製品が、特に粉末層の形態で表面に設けられている場合、物品を折り曲げたときに製品層が壊れる危険がある。
【特許文献１】欧州特許出願第１３７４７１８号明細書
【特許文献２】欧州特許出願第０４６０６４９号明細書
【発明の開示】
【発明が解決しようとする課題】
【０００５】
したがって、本発明の目的の１つは、従来技術の欠点を持たない粘着塗布具を提供することである。
また、本発明の特別な目的は、使い易い粘着性の塗布具を提供することである。
本発明のさらなる目的は、塗布具の塗布面を損傷することなく簡単に把持できるような塗布具を提供することである。
さらに、本発明の目的は、指を汚す危険なく簡単に把持できるような塗布具を提供することである。
【課題を解決するための手段】
【０００６】
本発明によれば、これらの目的は、
−  少なくとも１つの塗布具が切り出されるか又は予め切られている裏シートであって、
ａ）少なくとも塗布具の全体又は一部に前記化粧製品を保持する第１の面、及び
ｂ）塗布具の全体又は一部に粘着する第２の面
を備える裏シートと、
−  前記第２の面の少なくとも粘着剤で覆われた部分に亘って延びているフィルムであって、少なくとも部分的に裏シートから取り外すことができ、これによって塗布具への到達が可能となり、粘着面を利用して塗布具を取り上げることが可能となるフィルム
とを含む化粧製品の塗布装置を提供することによって達成できる。
【０００７】
このように、塗布具の周りを囲んでいる裏シートは、塗布面に触れることなく塗布具を把持して保持できる把持領域を形成している。
フィルムは、少なくとも部分的に塗布具の周りを囲んで延びる切断線又は脆弱線を備えることができ、これにより、少なくとも部分的に取り外し可能であって且つ少なくとも部分的に塗布具を覆っている部分が画定されており、この取り外し可能な部分がフィルムの残部分から分離されると、塗布具への到達が可能となり、且つ粘着面を利用して塗布具を取り上げることができる。
【０００８】
フィルム全体又はフィルムの残部分から分離可能なフィルムの取り外し可能な部分を裏シートから取り外すことができることにより、塗布具への到達が可能になり、これにより、塗布具を取り上げるために塗布具の上に１本以上の指を簡単に置くことができる。塗布具は、取り上げた直後に製品を塗布するために使用することができる。
取り外し可能な部分を分離した後にフィルムの残部分が裏シート上で保持されるように、裏シートの第２の面は、塗布具の外側の少なくとも一部にさらに付着していてよい。
【０００９】
塗布具は、特に少なくとも１つのブリッジ部によって、裏シートに取り付けることができる。ブリッジ部は、例えば裏シートの非切断部分によって得られる。
十分に大きなブリッジ部を選択することによって、フィルムの取り外し可能な部分を取り除く時に塗布具が裏シートの残部分から取り除かれてしまう危険なく、比較的強い粘着能を有する粘着剤を使用することが可能になり、塗布具はブリッジ部によって適切に保持される。
【００１０】
別の態様では、裏シート上の連続線で塗布具を切り出し、裏シートと結合していない状態にしておくこともできる。その場合、例えば、摩擦のみによって裏シートの残部分の上に塗布具を保持できるに十分な厚さの裏シートを選択する。
裏シートは、塗布具の周辺全体を取り囲んでいてよい。これにより、複数の点で裏シートを把持することができる。
【００１１】
脆弱線は、連続線又は不連続線に沿って延びるフィルムのより薄い領域とすることができる。
切断線もまた、連続的又は不連続的であってよい。
切断線又は脆弱線は、１つ以上の直線部分及び／又は曲線部分に亘って延びることができる。
【００１２】
フィルムの取り外し可能な部分は、少なくとも部分的に、フィルムの周縁部によって画定される。よって、取り外し可能な部分を簡単に把持することができる。
裏シートには、塗布すべき製品を含浸させることができ、及び／又は裏シートの第１の面を塗布すべき製品の層で覆うことができる。裏シートの第１の面は、塗布具に対応している部分にのみ製品を備えていることができる。
製品は、化粧製品とすることができる。
【００１３】
裏シートは、多孔性又は繊維性の材料、特に熱可塑性発泡材料、スポンジ、フェルト、不織材料、又は織材料、特に、綿等の天然繊維から作成できる。
裏シートは、比較的しなやかな塗布が得られるように、弾性変形可能な材料からなっていてよい。
裏シートは、多層構造を有していてよい。
【００１４】
裏シートの第１の面は、フロック材料、不織材料又は織材料で覆うことができる。
フィルムは、シリコーンで処理された媒体、特にシリコーン処理された紙であってよい。
【００１５】
裏シートの第２の面は、低アレルギー性粘着剤を備えていてよい。
裏シートの第２の面の全体が粘着剤で覆われていてよい。別の態様では、裏シートの第２の面は、塗布具と、塗布具の外側の少なくとも一部に付着している。
【００１６】
塗布具は、縦断面で見たときに平らな形状を有していることができる。
塗布具は、縦断面で見たときに少なくとも裏シートの第１の面の側に凸形状を有していてよい。
塗布具は、正面から見て円形であってよく、又は別の態様では、非円形、特に一般的に三角形、多角形、長円形、水滴形もしくはアーモンド形状であってもよい。
【００１７】
使用前には、本装置は小袋に収容されていてよい。別の態様では、又は付加的な手段として、少なくとも塗布具を覆うように第１の面に対して保護シートを配置することができ、保護シートは、塗布具の周囲で、裏シートの第１の面に取り付けることができる。この保護シートは、永久的に、例えば接着剤によって取り付けることもできる。
装置は、複数の塗布具を含むことができる。
【００１８】
別の態様では、本発明は、上述の装置を用いて化粧製品を塗布する方法であって、
−  少なくとも部分的に塗布具に対応する位置にある裏シートの第２の面が少なくとも部分的に露出するように、フィルムを引き剥がすステップ、
−  塗布具に対応する位置にある露出した第２の面に１本以上の指を置くステップ、
−  塗布具を取り上げて、裏シートの残部分から離すステップ、及び
−  処理すべき領域に塗布具の第１の面を適用するステップ
を含む方法を開示する。
【００１９】
フィルムが、フィルムの残部分から分離可能な部分を備えている場合、
−  フィルムの切断線又は脆弱線の周りに位置する部分で装置を把持すること、
−  フィルムの取り外し可能な部分を引き剥がして、少なくとも部分的に塗布具に対応した位置にある裏シートの第２の面を少なくとも部分的に露出させること、
−  露出した第２の面に１本以上の指を置くこと、
−  塗布具を取り上げて、裏シートの残部分から離すこと、
−  処理すべき領域に塗布具の第１の面を適用すること
が可能となる。
【００２０】
本発明により開示される装置は、化粧製品又は皮膚科学的製品、とりわけ殺菌剤、日焼け止め、保湿用製品、皺取り製品、マニキュア液、ファンデーション、ほお紅、アイシャドウ、口紅、メイク落とし、ヘアケア製品、染髪製品、デオドラントもしくは制汗製品、又は香水を塗布するために特に有用である。
【００２１】
さらに、本発明は、化粧製品の塗布装置であって、
−  少なくとも部分的に粘着剤で被覆されている面を有し、且つ少なくとも１つの切込みを画定する裏シートと、
−  切込みを画定する裏シートの縁によって切込み内に保持される少なくとも１つの塗布具であって、
ａ）化粧製品が組み込まれた第１の面、及び
ｂ）少なくとも部分的に粘着剤で被覆されている第２の面
を備える塗布具と、
−  第２の面及び塗布具の少なくとも粘着剤で被覆されている部分にわたって広がるフィルムであって、少なくとも部分的に塗布具の周囲に延びる切断線又は脆弱線を備えることにより、少なくとも部分的に塗布具を覆い且つ少なくとも部分的に取り外し可能な部分を画定しており、取り外し可能な部分をフィルムの残部分から分離すると塗布具に到達可能になり、粘着面によって塗布具を取り上げることができるフィルムと
を含む塗布装置を、単独に又は前述の態様と組み合わせて開示する。
【００２２】
この態様では、前述のように塗布具が裏シートから切り出される代わりに、塗布具を裏シートとは別個のシートから構成することができる。この場合、塗布具は、裏シートと同じ厚み、及び切込みの断面と実質的に同じ断面を有し、よって切込みと実質的に同じ寸法を有する。したがって、フィルムの取り外し可能な部分を引き剥がす時に塗布具が切込み内にとどまるのに十分な摩擦によって、裏シートにより画定された切込み内に塗布具を保持することができる。しかし、塗布具を切込みの内側でスライドさせて、塗布具の粘着面によって取り上げることができる。
【００２３】
本発明は、上述の構成以外にも複数の別の特徴を有しており、これを以下に、添付図面を参照する非限定的な実施態様と関連づけて説明する。
【実施例】
【００２４】
図１〜７に示す化粧製品を塗布するための装置は、裏シート２０を備えており、この裏シート２０に塗布具１０が切られており、塗布具１０は、肌、粘膜、その他の身体表面又は髪に製品を塗布する目的で、１つ以上の指に接着するように設計されている。
裏シート２０は、例えば、独立気泡のポリエチレンフィルムからなっている。この材料は、好ましくは弾性変形可能であり、これにより、比較的なめらかな塗布を行うことができる。さらに、この裏シートは、その外表面に外皮を備えることができる。
【００２５】
別の態様では、裏シート２０は、例えば、連続気泡発泡体又は別の気泡構造を有する多孔性又は繊維性の材料、特に天然スポンジもしくは人工スポンジ、又はフェルトもしくは繊維性構造、特に綿又は繊維製品の層を含むことができる。別の態様では、裏シート２０は、多孔性又は繊維性の材料からなるフィルムを重ねたもの及び／又は多孔性又は繊維性の材料からなる複数の層を含むことができる。
裏シート２０は、実質的に、制限された一定の厚みを有し、よって塗布具の形状は平らである。この裏シート２０は、例えば約６００μｍの厚みを有している。
【００２６】
図示の例では、塗布具１０は正面から見て円形である。例えば、その直径は１５ｍｍである。このような塗布具は、顔の小さな領域、例えば瞼に製品を塗布するのに特に適しており、その場合、この塗布具を１本の指に装着することができる。ファンデーションのような製品を顔全体に塗布するのに適する塗布具を得るためには、直径約４５ｍｍであって、複数の指に粘着させる、もっと大きな塗布具を使用することが好ましい。
別の態様では、例えば、顔の所定の部分への製品の塗布をさらに簡単に且つさらに正確に行うことができるように、塗布具１０の形状を、正面から見て円形以外の別の形状にすることができる。一例として、図９〜１２に、そのような多数ある別の形状のうち可能な形状の異なる実施例の正面図を示す。正面から見て、塗布具１０の形状は、実質的に長方形（図９）、長円形（図１０）、三角形（図１１）又は楕円形（図１２）とすることができる。塗布具は、正面から見てアーモンド形状又は水滴形状をしていてもよい。
【００２７】
図１〜７に示す実施例では、裏シート２０は正方形である。別の態様では、裏シート２０の形状としては、図１２に示すように楕円形、又は図１３に示すように円形、又は別のあらゆる形状が可能である。
図２を参照すると、裏シート２０は、塗布具１０の塗布面を画定している第１の面２１を備えている。
【００２８】
図示の実施例では、塗布具１０は平らな塗布面を備えている。別の態様では、塗布面は、湾曲している、例えば外側に向かう凸形状となっていてもよい。
塗布具の塗布面は、図１４に示すようにフロック被覆１２を備えることもできる。また、不織材料又は織材料で被覆された塗布表面の使用も、本発明の範囲に含まれる。
【００２９】
図１〜７に示す実施例では、裏シートの第１の面２１は、製品の層１１で被覆されており、この製品層１１は、塗布具１０に対応する部分のみを被覆している。製品は、スクリーン印刷により堆積させた粉末とすることができる。製品は、例えば口紅、アイシャドウ、ファンデーション、ほお紅等である。
別の態様では、製品を表面に堆積させるのではなく、塗布具１０に製品を含浸させることもできる。この態様は、例えば、図１４に示す塗布具に当てはまる。この実施例では、塗布具は、多孔性材料、例えば、塗布すべき製品を含浸させた発泡体からなっている。この塗布具１０には、例えば、型板を用いて含浸を行うこともでき、これにより、製品が塗布具の周りにはみ出すことなく製品を塗布具に配置させる簡単な手段が提供される。
【００３０】
裏シート２０は、第１の面２１の反対側に、粘着層６０で被覆された第２の面２２を備える。
粘着剤は、肌よりも塗布具に強力に粘着する永久的で耐水性の低アレルギー性粘着剤とすることができる。粘着層６０は、裏シートの第２の面２２の全体、特に塗布具を覆うことができるフィルムの形態とすることができる。この粘着層は、点のパターン、細片の連続体の形態とすることもでき、又は裏シートの第２の面２２の中央の領域のみに位置してもよい。結合能を減じるために、粘着層を例えば網で覆うこともできる。
図示の実施例では、裏シートの塗布具の周りを囲んでいる部分全体が、粘着剤で被覆されている。しかし、裏シートの塗布具の周りを囲んでいる部分の一部しか粘着剤で被覆されていない態様も、本発明の範囲に含まれる。
【００３１】
初回使用の前には、粘着層６０の全体はフィルム３０で覆われている。このフィルム３０は、例えばシリコーン処理された紙又はポリエチレンフィルムからなっている。
フィルム３０は、シートを２つの部分に分割して取外し可能な部分３１を画定する切断部４０を備えている。この取外し可能な部分３１は、フィルムの残部分から完全に取り外すことができる。
【００３２】
別の態様では、この取外し可能な部分３１が、部分的にフィルムの残部分と一体となったままの状態で、塗布具を取り上げることができるように構成することもできる。
好ましくは、取外し可能な部分３１は、フィルム３０の周縁部３２によって部分的に画定されており、よって容易に把持することができる。
【００３３】
図１〜７に示す実施例では、線４０は連続的に切断されている。
別の態様では、線４０は、不連続に、つまり点状に切られており、取外し可能な部分３１は、図１３に示す例のように、切断されていない部分によってフィルムの残部分と一体である。
【００３４】
別の態様では、フィルム３０は、図１４に示すように、厚みが比較的に小さい領域、つまりフィルム３０の残部分の厚みよりも薄い厚みをもつ線によって形成される脆弱線４０を備えていることができる。
切断線又は脆弱線は、図１３及び１５の例に示すように湾曲していてもよく、又は別の態様として図９及び１２の例に示すように直線であってもよい。さらに別の態様では、切断線又は脆弱線は、図１，８，１０，１１に示すように、直線部分及び曲線部分を備えていることができる。
【００３５】
図１及び９〜１３に示す実施例では、線４０は塗布具の周囲全体に延びており、これにより取外し可能な部分３１が完全に塗布具を覆うように画定されている。フィルムの残部分から取外し可能な部分３１を切り離すと、塗布具全体への到達が可能となる。
別の態様では、線４０は、図８に示すように、塗布具１０の周囲の一部のみに延びており、これにより、塗布具を部分的に覆う取外し可能な部分３１を画定している。取外し可能な部分３１をフィルムの残部分から切り離すと、塗布具の一部のみへの到達が可能となり、この時フィルムの小部分３３が塗布具の小さな部分を覆っている。しかし、取外し可能な部分は、塗布具の表面領域を十分に大きく覆っているので、塗布具の表面のほぼ全体を露出させることができる。したがって、塗布具の小さな領域が露出しなくとも、塗布具をフィルムの小部分３３の下でスライドさせることによって、装置から完全に取り上げることができる。
【００３６】
別の態様では、図１６に示すように、フィルム３０は切断線又は脆弱線を含まなくてもよい。この態様では、裏シートの第２の面２２は、塗布具に対応する部分のみが粘着層で被覆されている。切断線又は脆弱線のないフィルム３０は、裏シート２０の第２の面２２の表面全体、好ましくは中央部分を覆っており、これにより塗布具の粘着層で被覆された面が覆われる。
製品層１１及び塗布表面を保護するために、裏シート２０及び塗布具は、図１及び２に示すように、保護シート５０、特にポリプロピレン又はＰＶＣフィルムにより覆われており、このような保護シート５０は、裏シート２０の塗布具１０を囲む部分に永久的に取り付けられている。フィルムは、例えば接着によってシートに取り付けられている。或いは、保護シート５０を永久的に取り付けなくともよい。その場合、保護シート５０は、裏シート２０に静電効果のみによって取り付けることができる。保護シート５０の厚みは例えば０．２ｍｍである。
【００３７】
別の態様として又は付加的な手段として、塗布具１０を、例えば小袋に包装することができる。
図１５に示す別の態様では、装置は、同じ裏シート２０に切られた複数の塗布具１０を備えている。裏シート２０は、例えば３つの塗布具１０、及び同数の切断線４０を有している。各切断線４０は、１つの塗布具１０を囲んでおり、これにより各塗布具を覆う取外し可能な部分３１が画定されている。この取外し可能な部分３１は、塗布具を使用する際に連続的に除去することができる。これらの塗布具を、例えば、異なる製品で被覆することができる。
【００３８】
図１〜７に示す装置を製造するため、本方法の一実施例では、裏シート２０の第２の面２２とフィルム３０との間に両面粘着材を適用することができる。フィルム３０に線４０を切断する。次に、裏シート及び粘着層を、例えばダイカッタを用いて所望の塗布具の形状に切断し、この時ブリッジ部１３を残すことにより塗布具１０と裏シートの残部分が一体に保持される。次に、塗布すべき製品を、例えばスクリーン印刷により、裏シートの第１の面２１の、塗布具１０に対応する部分に堆積させる。続いて、保護シート５０を、裏シートの第１の面２１に、塗布具１０の周りで付着させる。このようにして得られたアッセンブリを、所望の形状、例えば図１に示すような装置となるように正方形のカードを製造するように切断する。
【００３９】
本発明による塗布具を使用するためには、まず一方の手で、切断線４０の外側に位置する部分で装置を把持する。次に、フィルム３０の残部分から取り外し可能な部分３１を取り外し、これにより図５に示すように塗布具の粘着面６０の全体を露出させる。続いて、図６に示すように、露出した粘着層６０に１本の指を載せる。最後に、裏シート２０の残部分から塗布具を持ち上げて、指の腹で塗布具１０を保持する（図７）。このようにして指の上に塗布具１０が載り、塗布前に塗布表面に触れることなく、処理すべき領域に製品を塗布することができる。
上述のカード形状の装置は、製品サンプルとして使用することができ、例えば雑誌の間に挟んで配布することができる。
【００４０】
上記の詳細な説明では、本発明の好ましい実施態様について述べた。しかし、特許請求の範囲に示す本発明の枠から逸脱することなく、この実施態様の変形例が提案できることは明らかである。
【図面の簡単な説明】
【００４１】
【図１】本発明による装置の第１の実施態様の斜視図である。
【図２】図１に示す装置の断面図である。
【図３】図１に示す装置の底面図である。
【図４】図１の装置の使用方法を例示したステップの１つを示す図である。
【図５】図１の装置の使用方法を例示したさらなるステップを示す図である。
【図６】図１の装置の使用方法を例示したさらなるステップを示す図である。
【図７】図１の装置の使用方法を例示したさらなるステップを示す図である。
【図８】本発明による装置の別の実施態様を示す図である。
【図９】本発明による装置のさらに別の実施態様を示す図である。
【図１０】本発明による装置のさらに別の実施態様を示す図である。
【図１１】本発明による装置のさらに別の実施態様を示す図である。
【図１２】本発明による装置のさらに別の実施態様を示す図である。
【図１３】本発明による装置のさらに別の実施態様を示す図である。
【図１４】本発明による装置のさらに別の実施態様を示す図である。
【図１５】本発明による装置のさらに別の実施態様を示す図である。
【図１６】本発明による装置のさらに別の実施態様を示す図である。
【符号の説明】
【００４２】
１０    塗布具
１１    製品
１２    フロック被覆
１３    ブリッジ
２０    裏シート
２１    （裏シートの）第１の面
２２    （裏シートの）第２の面
２３    （フィルムの）塗布具の外部に対応する部分
３０    フィルム
３１    （フィルムの）取外し可能な部分
３２    （フィルムの）周縁部
３３    （フィルムの）小部分
４０    線、切断部
５０    保護シート
６０    粘着層
【図１】
2006102485.tif 000003
【図２】
2006102485.tif 000004
【図３】
2006102485.tif 000005
【図４】
2006102485.tif 000006
【図５】
2006102485.tif 000007
【図６】
2006102485.tif 000008
【図７】
2006102485.tif 000009
【図８】
2006102485.tif 000010
【図９】
2006102485.tif 000011
【図１０】
2006102485.tif 000012
【図１１】
2006102485.tif 000013
【図１２】
2006102485.tif 000014
【図１３】
2006102485.tif 000015
【図１４】
2006102485.tif 000016
【図１５】
2006102485.tif 000017
【図１６】
2006102485.tif 000018
【外国語明細書】
2006102485000001.pdf
2006102485000002.pdf
2006102485000003.pdf
2006102485000004.pdf